(57)【要約】【課題】一の色材担持体の色を他の色材担持体で再現するための色データを算出することができる情報処理システム等を提供する。【解決手段】ｎ色のカラーチャートが形成された第１色材担持体と第２色材担持体において、所定の波長毎に各カラーパッチの分光反射率を測定して得られたｎ組の分光反射率に基づいて、所定の波長毎に、第１色材担持体と第２色材担持体の分光反射率の多項式近似式を算出する。そして、第２色材担持体と反射特性が同一である第３色材担持体における、第１色材担持体で再現すべき色の分光反射率を所定の波長毎に取得し、先に算出した多項式近似式を用いて第１色材担持体における予測分光反射率を算出し、当該算出した予測分光反射率から第１色材担持体における色データを算出する。【選択図】図１
2015095774.tif 000002
【特許請求の範囲】
【請求項１】
ｎ色のカラーパッチにより構成されるカラーチャートを形成する色材をそれぞれ担持する第１色材担持体と第２色材担持体において、所定の波長毎に前記カラーパッチの分光反射率を測定して得られたｎ組の分光反射率を取得する第１分光反射率取得手段と、
前記所定の波長毎に、前記第１分光反射率取得手段が取得したｎ組の前記第２色材担持体における分光反射率と前記第１色材担持体における分光反射率の多項式近似式を算出する多項式近似式算出手段と、
前記第２色材担持体と反射特性が同一である第３色材担持体における色であって、前記第１色材担持体での色データの算出対象である色の分光反射率を前記所定の波長毎に取得する第２分光反射率取得手段と、
前記所定の波長毎に、前記多項式近似式算出手段が算出した多項式近似式と、前記第２分光反射率取得手段が取得した分光反射率に基づいて、前記第１色材担持体における予測分光反射率を算出する予測分光反射率算出手段と、
前記予測分光反射率算出手段が前記所定の波長毎に算出した予測分光反射率から前記第１色材担持体における色の色データを算出する算出手段と、
を備えることを特徴とする情報処理システム。
【請求項２】
ｎ色のカラーパッチにより構成されるカラーチャートを形成する色材をそれぞれ担持する第１色材担持体と第２色材担持体において、所定の波長毎に前記カラーパッチの分光反射率を測定して得られたｎ組の分光反射率を取得する第１分光反射率取得工程と、
前記所定の波長毎に、前記第１分光反射率取得工程が取得したｎ組の前記第２色材担持体における分光反射率と前記第１色材担持体における分光反射率の多項式近似式を算出する多項式近似式算出工程と、
前記第２色材担持体と反射特性が同一である第３色材担持体における色であって、前記第１色材担持体での色データの算出対象である色の分光反射率を前記所定の波長毎に取得する第２分光反射率取得工程と、
前記所定の波長毎に、前記多項式近似式算出工程が算出した多項式近似式と、前記第２分光反射率取得工程が取得した分光反射率に基づいて、前記第１色材担持体における予測分光反射率を算出する予測分光反射率算出工程と、
前記予測分光反射率算出工程が前記所定の波長毎に算出した予測分光反射率から前記第１色材担持体における色の色データを算出する算出工程と、
を含むことを特徴とする情報処理方法。
【請求項３】
コンピュータを、
ｎ色のカラーパッチにより構成されるカラーチャートを形成する色材をそれぞれ担持する第１色材担持体と第２色材担持体において、所定の波長毎に前記カラーパッチの分光反射率を測定して得られたｎ組の分光反射率を取得する第１分光反射率取得手段、
前記所定の波長毎に、前記第１分光反射率取得手段が取得したｎ組の前記第２色材担持体における分光反射率と前記第１色材担持体における分光反射率の多項式近似式を算出する多項式近似式算出手段、
前記第２色材担持体と反射特性が同一である第３色材担持体における色であって、前記第１色材担持体での色データの算出対象である色の分光反射率を前記所定の波長毎に取得する第２分光反射率取得手段、
前記所定の波長毎に、前記多項式近似式算出手段が算出した多項式近似式と、前記第２分光反射率取得手段が取得した分光反射率に基づいて、前記第１色材担持体における予測分光反射率を算出する予測分光反射率算出手段、
前記予測分光反射率算出手段が前記所定の波長毎に算出した予測分光反射率から前記第１色材担持体における色の色データを算出する算出手段、
として機能させることを特徴とする情報処理プログラム。
【発明の詳細な説明】
【技術分野】
【０００１】
本発明は、一の色材担持体の色を他の色材担持体で再現するための装置等の技術分野に関する。
【背景技術】
【０００２】
クレジットカード等のカードに文字や絵柄等を付す場合、カードそのものに直接印刷するのではなく、一旦、転写用フィルム（色材担持体）に絵柄等を印刷してからカード基材（色材担持体）に転写するのが一般的である。
【０００３】
一方で、印刷業者は、既に絵柄等が付されたカード（見本となるカード）について増刷や複製の注文を受ける場合がある。このとき、転写用フィルムに絵柄等を印刷した際の色データ（例えば、Ｌａｂ値、ＸＹＺ値、ＣＭＹＫ値）が保存されていれば、その色データに基づいて印刷・転写を行うことで色を再現することができるが、色データが保存されていない場合、どのように色データを決定するかが問題となる。
【０００４】
このとき、転写用フィルムに印刷した色と基材に転写した際の色が同じになるのであれば見本となるカードの色を測色して色データ（例えば、Ｌａｂ値、ＸＹＺ値、ＣＭＹＫ値）を決定すればよいが、転写用フィルムとカード基材とでは表面の反射特性が異なり、転写用フィルムに印刷した色とカード基材に転写した際の色が異なるため、見本となるカードを測色することにより得られる色データでは、適切に色を再現することができない。
【０００５】
そこで、見本となるカードの測色値から、見本となるカードの色と同一の色を再現することが可能となる転写用フィルム上の色データ（例えば、Ｌａｂ値、ＸＹＺ値、ＣＭＹＫ値）を予測できることが望ましい。しかし、見本となるカードの測色値を単純に線形変換して転写用フィルム上の色データ（例えば、Ｌａｂ値、ＸＹＺ値、ＣＭＹＫ値）を予測するだけでは、予測精度が不十分であることが発明者の実験で明らかになっている。
【０００６】
また、印刷物の色を予測する技術として、特許文献１に、印刷物の基準濃度の変更に対して容易且つ迅速に対応し、印刷物の色を高精度に予測する技術が開示されている。
【先行技術文献】
【特許文献】
【０００７】
【特許文献１】特開２０１０−７４２３２号公報
【発明の概要】
【発明が解決しようとする課題】
【０００８】
しかしながら、特許文献１に記載の技術では、異なる色材担持体間での色を予測することができないという問題がある。
【０００９】
本発明は、このような問題に鑑みて為されたもので、一の色材担持体の色を他の色材担持体で再現するための色データを算出することができる情報処理システム等を提供することを課題とする。
【課題を解決するための手段】
【００１０】
上記課題を解決するために、請求項１に記載の発明は、ｎ色のカラーパッチにより構成されるカラーチャートを形成する色材をそれぞれ担持する第１色材担持体と第２色材担持体において、所定の波長毎に前記カラーパッチの分光反射率を測定して得られたｎ組の分光反射率を取得する第１分光反射率取得手段と、前記所定の波長毎に、前記第１分光反射率取得手段が取得したｎ組の前記第２色材担持体における分光反射率と前記第１色材担持体における分光反射率の多項式近似式を算出する多項式近似式算出手段と、前記第２色材担持体と反射特性が同一である第３色材担持体における色であって、前記第１色材担持体での色データの算出対象である色の分光反射率を前記所定の波長毎に取得する第２分光反射率取得手段と、前記所定の波長毎に、前記多項式近似式算出手段が算出した多項式近似式と、前記第２分光反射率取得手段が取得した分光反射率に基づいて、前記第１色材担持体における予測分光反射率を算出する予測分光反射率算出手段と、前記予測分光反射率算出手段が前記所定の波長毎に算出した予測分光反射率から前記第１色材担持体における色の色データを算出する算出手段と、を備えることを特徴とする。
【００１１】
なお、請求項１に記載の発明において、第３色材担持体は、第２色材担持体そのものである場合を含む。
【００１２】
当該発明によれば、異なる色材担持体における色について波長毎に多項式近似することにより、単純に測色値を多項式近似する方式と比較して、第３色材担持体（第２色材担持体）の分光反射率から第１色材担持体の色データを、高精度に予測することができる。したがって、例えば、絵柄等が印刷済のカードを増刷・複製する場合に、当該カードの色から、転写用フィルムに印刷すべき色を予測することができ、印刷時の色合わせ目標値を正確に設定することができる。
【００１３】
また、請求項２に記載の発明は、ｎ色のカラーパッチにより構成されるカラーチャートを形成する色材をそれぞれ担持する第１色材担持体と第２色材担持体において、所定の波長毎に前記カラーパッチの分光反射率を測定して得られたｎ組の分光反射率を取得する第１分光反射率取得工程と、前記所定の波長毎に、前記第１分光反射率取得工程が取得したｎ組の前記第２色材担持体における分光反射率と前記第１色材担持体における分光反射率の多項式近似式を算出する多項式近似式算出工程と、前記第２色材担持体と反射特性が同一である第３色材担持体における色であって、前記第１色材担持体での色データの算出対象である色の分光反射率を前記所定の波長毎に取得する第２分光反射率取得工程と、前記所定の波長毎に、前記多項式近似式算出工程が算出した多項式近似式と、前記第２分光反射率取得工程が取得した分光反射率に基づいて、前記第１色材担持体における予測分光反射率を算出する予測分光反射率算出工程と、前記予測分光反射率算出工程が前記所定の波長毎に算出した予測分光反射率から前記第１色材担持体における色の色データを算出する算出工程と、を含むことを特徴とする。
【００１４】
更に、請求項３に記載の発明は、コンピュータを、ｎ色のカラーパッチにより構成されるカラーチャートを形成する色材をそれぞれ担持する第１色材担持体と第２色材担持体において、所定の波長毎に前記カラーパッチの分光反射率を測定して得られたｎ組の分光反射率を取得する第１分光反射率取得手段、前記所定の波長毎に、前記第１分光反射率取得手段が取得したｎ組の前記第２色材担持体における分光反射率と前記第１色材担持体における分光反射率の多項式近似式を算出する多項式近似式算出手段、前記第２色材担持体と反射特性が同一である第３色材担持体における色であって、前記第１色材担持体での色データの算出対象である色の分光反射率を前記所定の波長毎に取得する第２分光反射率取得手段、前記所定の波長毎に、前記多項式近似式算出手段が算出した多項式近似式と、前記第２分光反射率取得手段が取得した分光反射率に基づいて、前記第１色材担持体における予測分光反射率を算出する予測分光反射率算出手段、前記予測分光反射率算出手段が前記所定の波長毎に算出した予測分光反射率から前記第１色材担持体における色の色データを算出する算出手段、として機能させることを特徴とする。
【発明の効果】
【００１５】
本発明によれば、異なる色材担持体における色について波長毎に多項式近似することにより、単純に測色値を多項式近似する方式と比較して、第２色材担持体の分光反射率から第１色材担持体の色データを、高精度に予測することができる。
【図面の簡単な説明】
【００１６】
【図１】本実施形態の色データ算出手順を示すフローチャートである。
【図２】本実施形態における色データ算出装置１の構成の一例を示す模式図である。
【図３】本実施形態における色データ算出装置１の制御部１１による動作例を示すフローチャートである。
【図４】本実施形態における色データ算出装置１の制御部１１による多項式近似式作成処理の一例を示すフローチャートである。
【図５】本実施形態における色データ算出装置１の制御部１１による色データ算出処理の一例を示すフローチャートである。
【図６】分光反射率の多項式近似の例を示す図である。
【図７】Ｌａｂ値の多項式近似の例を示す図である。
【図８】色差ΔＥの比較結果を示す図である。
【発明を実施するための形態】
【００１７】
以下、図面を参照して本発明の実施形態について説明する。なお、以下に説明する実施の形態は、絵柄が印刷されたカード（「見本カード」という）を複製するに当たり、カード基材に絵柄を転写するために用いられる転写用フィルムに絵柄を印刷する際の色データ（例えば、Ｌａｂ値、ＸＹＺ値、ＣＭＹＫ値）を算出する色データ算出装置に対して本発明を適用した場合の実施形態である。なお、カード基材は見本カードと表面の反射特性が同一の素材でできているものとする。また、転写用フィルム、カード基材及び見本カードには、色材の一種であるインキが印刷乃至転写されることにより絵柄等が形成され、換言すれば、これらが色材を担持していると捉えることもできる。そのため、本願では、転写用フィルム、カード基材及び見本カードを「色材担持体」という場合がある。色材担持体は色材を担持するあらゆるものを含むものであり、色材もインキに限られない。
【００１８】
［１．色データ算出の概要］
図１に示すフローチャートを用いて色データを算出する際の流れについて説明する。
【００１９】
まず、カラーチャート画像データを作成する（ステップＳ１）。カラーチャート画像データは、明るさ、彩度を様々に変化させた、多数の色（ｎ個）のカラーパッチから構成されるものとする。パッチ数ｎは、少なくとも１００色程度、可能であれば１０００色以上が望ましい。パッチサイズは、分光測色器で測定可能なサイズ（一般的には、５ｍｍ角程度以上）が望ましい。
【００２０】
次に、ステップＳ１で作成したカラーチャート画像データに基づいて、転写用フィルムにカラーチャートを印刷する（ステップＳ２）。印刷方法としては、オフセット印刷、グラビア印刷、フレキソ印刷、インクジェット印刷などがある。なお、ステップＳ２では、２枚の転写用フィルムにカラーチャートを印刷する。
【００２１】
次に、ステップＳ２で印刷された１枚の転写用フィルム上のカラーチャートを、カード基材へ転写する（ステップＳ３）。具体的には、カード基材に転写用フィルムの印刷面を密着させ、熱と圧力によって転写する。
【００２２】
次に、ステップＳ３で転写に用いなかったもう１枚の転写用フィルムとカード基材上のカラーチャートの所定の波長毎の分光反射率を分光測色計で測定する（ステップＳ４）。具体的には、所定の波長毎に、ｎ組の分光反射率R1n(λ)、R2n(λ)を得る。このとき、R1n(λ)は、転写用フィルムのｎ番目のカラーパッチの分光反射率を示し、R2n(λ)は、カード基材のｎ番目のカラーパッチの分光反射率を示している。
【００２３】
次に、所定の波長毎に、カード基材の分光反射率から転写用フィルムの分光反射率を多項式近似する係数を算出し、多項式を作成する（ステップＳ５）。具体的には、ｎ組の分光反射率R1n(λ)、R2n(λ)について、波長λm nmにおいて、R2n(λm)からR1n(λm)を予測する多項式を作成する。mは、測色器のスペックに応じて任意に設定することができる。本実施形態における所定の波長毎とは、380nmから730nmまで10nm間隔（３６段階）とする。多項式としては、３次以上の多項式を用いるのが望ましい。以下に、３次多項式の例（式１）を示す。
【数１】
2015095774.tif 000003
R1(λm)：波長λmnmにおける、転写用フィルムR1の分光反射率
R2(λm)：波長λmnmにおける、カード基材R2の分光反射率
a(λm)：多項式近似式における定数項
b(λm)：多項式近似式における１次項の係数
c(λm)：多項式近似式における２次項の係数
d(λm)：多項式近似式における３次項の係数
【００２４】
つまり、本実施形態では、（式１−１）〜（式１−３６）に示す３６本の３次多項式を作成する。
【数２】
2015095774.tif 000004
【数３】
2015095774.tif 000005
（中略）
【数４】
2015095774.tif 000006
【００２５】
次に、見本カードに印刷されている色であって、転写用フィルム上における色データを予測したい色について、所定の波長毎に分光反射率を分光測色計で測定し、分光反射率R2(λm)を得る（ステップＳ６）。ここでは、見本カードに印刷されている色を測定することとしたが、カード基材に転写されたカラーパッチのうち、転写用フィルム上における色データを予測したい色に対応するカラーパッチについて、所定の波長毎に分光反射率を分光測色計で測定し、分光反射率R2(λm)を得ることとしてもよい。
【００２６】
次に、所定の波長毎に、ステップＳ５で作成した多項式と、ステップＳ６で測定した分光反射率に基づいて、転写用フィルムの分光反射率を予測する（ステップＳ７）。具体的には、所定の波長毎に、（式１−１）〜（式１−３６）により、見本カードの分光反射率R2(λm)から、転写用フィルムの分光反射率R1(λm)を算出する。
【００２７】
次に、ステップＳ７で予測した転写用フィルムの分光反射率から色データを算出する（ステップＳ８）。具体的には、所定の波長毎に算出した転写用フィルムの分光反射率R1(λm)から、ＣＩＥ（Commission Internationale de l'Eclairage）で定められた式により、色データ（例えば、Ｌａｂ値、ＸＹＺ値、ＣＭＹＫ値）を算出する。
【００２８】
［２．色データ算出装置の構成］
次に、図２を用いて、色データ算出装置１の構成について説明する。色データ算出装置１は、制御部１１と、記憶部１２と、通信部１３と、表示部１４と、操作部１５とを備えている。
【００２９】
記憶部１２は、例えば、ハードディスクドライブ等により構成されており、オペレーティングシステムや、サーバ用のプログラム等の各種プログラムを記憶する。特に本実施形態の記憶部１２は、上述した多項式近似式の作成機能と、色データ算出機能を実現するためのプログラムを記憶する。なお、各種プログラムは、例えば、他のサーバ装置等からネットワークＮＷを介して取得されるようにしても良いし、記録媒体に記録されてドライブ装置を介して読み込まれるようにしても良い。
【００３０】
通信部１３は、分光測色器７０１等との通信を制御するようになっている。分光測色器７０１は、見本カードや、転写用フィルム及びカード基材の分光反射率を測定する。測定された分光反射率は色データ算出装置１に入力される。表示部１４は、例えば、ＣＲＴ（Cathode Ray Tube）ディスプレイ、液晶ディスプレイ等により構成されており、文字や画像等の情報を表示するようになっている。操作部１５は、例えば、キーボード、マウス等により構成されており、オペレータからの操作指示を受け付け、その指示内容を指示信号として制御部１１に出力するようになっている。
【００３１】
制御部１１は、ＣＰＵ（Central Processing Unit）、ＲＯＭ（Read Only Memory）、ＲＡＭ（Random Access Memory）等により構成されている。そして、ＣＰＵが、ＲＯＭや記憶部１２に記憶された各種プログラムを読み出し実行することにより各種機能を実現する。
【００３２】
［３．色データ算出装置１における制御部１１の動作］
次に、図３〜図５を用いて、色データ算出装置１における制御部１１の動作について説明する。
【００３３】
図３に示すように、色データ算出装置１の制御部１１は、多項式近似式作成処理を行い（ステップＳ１１１）、次いで、色データ算出処理を行う（ステップＳ１１２）。このように、制御部１１は多項式近似式作成処理と色データ算出処理により、見本カードを複製するに当たり、カード基材に絵柄を転写するために用いられる転写用フィルムに絵柄を印刷する際の色データを算出する。
【００３４】
次に、図４を用いて多項式近似式作成処理について説明する。
【００３５】
まず、色データ算出装置１の制御部１１は、転写用フィルムに印刷されたカラーチャートを構成する各カラーパッチの分光反射率を所定の波長毎に取得する（ステップＳ１３１）。このとき、所定の波長毎の分光反射率の測定は、分光測色器７０１が行い、制御部１１は分光測色器７０１から測定された値を取得する。
【００３６】
次に、制御部１１は、カード基材に転写されたカラーチャートを構成する各カラーパッチの分光反射率を所定の波長毎に取得する（ステップＳ１３２）。このとき、所定の波長毎の分光反射率の測定は、分光測色器７０１が行い、制御部１１は分光測色器７０１から測定された値を取得する。
【００３７】
次に、制御部１１は、ステップＳ１３１の処理で取得した転写用フィルムの分光反射率と、ステップＳ１３２の処理で取得したカード基材の分光反射率とに基づいて、所定の波長毎に、多項式近似係数を算出する（ステップＳ１３３）。
【００３８】
次に、制御部１１は、ステップＳ１３３の処理で算出した多項式近似係数を用いて、所定の波長毎に多項式近似式を作成し（ステップＳ１３４）、多項式近似式作成処理を終了する。
【００３９】
次に、図５を用いて色データ算出処理について説明する。
【００４０】
まず、色データ算出装置１の制御部１１は、見本カードに印刷されている色であって、転写用フィルム上における色データを予測したい色の分光反射率を所定の波長毎に取得する（ステップＳ１５１）。このとき、所定の波長毎の分光反射率の測定は、分光測色器７０１が行い、制御部１１は分光測色器７０１から測定された値を取得する。
【００４１】
次に、制御部１１は、ステップＳ１５１の処理で取得した分光反射率から転写用フィルムの分光反射率を予測する（ステップＳ１５２）。具体的には、制御部１１は、所定の波長毎に、ステップＳ１５１の処理で取得した分光反射率と、ステップＳ１３４の処理で作成した多項式近似式とに基づいて、転写用フィルムの分光反射率を算出する。
【００４２】
次に、制御部１１は、ステップＳ１５２の処理で予測した転写用フィルムの分光反射率から色データを算出し（ステップＳ１５３）、色データ算出処理を終了する。具体的には、制御部１１は、ＣＩＥで定められた公知の式により、色データ（例えば、Ｌａｂ値、ＸＹＺ値、ＣＭＹＫ値）を算出する。
【００４３】
以上説明したように、本実施形態の色データ算出装置１の制御部１１（「第１分光反射率取得手段」、「多項式近似式算出手段」、「第２分光反射率取得手段」、「予測分光反射率算出手段」、「算出手段」の一例）は、ｎ色のカラーパッチにより構成されるカラーチャートを形成するインキ（「色材」の一例）をそれぞれ担持する転写用フィルム（「第１色材担持体」の一例）とカード基材（「第２色材担持体」の一例）において、所定の波長毎にカラーパッチの分光反射率を測定して得られたｎ組の分光反射率を取得し（ステップＳ１３１、ステップＳ１３２）、所定の波長毎に、ステップＳ１３１及びステップＳ１３２の処理で取得したｎ組のカード基材における分光反射率と転写用フィルムにおける分光反射率の多項式近似式を算出し（ステップＳ１３４）、カード基材と反射特性が同一であるカード見本（「第３色材担持体」の一例）における色であって、転写用フィルムでの色データの算出対象である色の分光反射率を所定の波長毎に取得し（ステップＳ１５１）、所定の波長毎に、ステップＳ１３４の処理で算出した多項式近似式と、ステップＳ１５１の処理で取得した分光反射率に基づいて、転写用フィルムにおける分光反射率（「予測分光反射率」の一例）を算出し（ステップＳ１５２）、ステップＳ１５２の処理で所定の波長毎に算出した分光反射率から転写用フィルムにおける色の色データを算出する（ステップＳ１５３）。
【００４４】
したがって、本実施形態の色データ算出装置１によれば、転写用フィルムとカード基材という異なる色材担持体における色について所定の波長毎に多項式近似することにより、単純に測色値を多項式近似する方式と比較して、見本カードの分光反射率から転写用フィルムの色データを、高精度に予測することができる。したがって、例えば、絵柄等が印刷済の見本カードを増刷・複製する場合に、当該見本カードの色から、転写用フィルムに印刷すべき色を予測することができ、印刷時の色合わせ目標値を正確に設定することができる。
【００４５】
［４．色データ算出装置１が算出する色データの精度］
次に、図６〜図８を用いて、色データ算出装置１が算出する色データの精度について説明する。図６〜図８において、色材担持体１は、1589色のカラーパッチがオフセット印刷された透明PETフィルムであり、色材担持体２は、色材担持体１に印刷されたカラーパッチが転写された白色カードである。図６は波長毎の分光反射率の多項式近似の例を示す。図６中の点Ｐは、波長λ＝400nm、500nm、600nm、700nmにおいて、横軸に色材担持体２の分光反射率、縦軸に色材担持体１の分光反射率をとり、全カラーパッチの分光反射率をプロットしたものである。曲線Ｃは、３次多項式近似の曲線である。また、それぞれ相関係数R2を求めた。一方、図７では比較のために、Ｌ、ａ、ｂについて、それぞれ３次多項式近似曲線を引き、相関係数R2を求めた。両者を比較すると、分光反射率多項式近似の相関係数R2は、何れの波長におけるR2も「０．９」以上の値で「１．０」に近いが、Ｌ、ａ、ｂの相関係数R2においてはｂの相関係数R2が「０．９７」を下回っている。このことは、分光反射率多項式近似のほうが、高精度に近似可能であることを示している。
【００４６】
また、図８では、色材担持体１上のカラーパッチの実際の測定値と、色材担持体２の測定値から予測した色データとの色差を1589色の平均及び最大ΔEを示した。ケース１の色材担持体１と色材担持体２の測色値同士の比較では、平均ΔE＝14.1、最大ΔE＝25.4と両者の色差は相当大きい。ケース２のLab多項式近似では、平均ΔE＝4.9、最大ΔE＝14.1とかなり差が小さくなった。本実施形態で説明したケース３の分光反射率多項式近似では、平均ΔE＝2.6、最大ΔE＝8.8と、最も小さくなり、精度向上の効果が認められた。
【００４７】
［５．変形例］
次に、上記実施形態の変形例について説明する。なお、以下に説明する変形例は適宜組み合わせることができる。
【００４８】
［５．１．色材を担持される方法］
上記実施形態では、色材担持体である転写用フィルムにインキを担持させる場合に、印刷（オフセット印刷、グラビア印刷、フレキソ印刷、インクジェット印刷等）を用い、色材担持体であるカード基材にインキを担持させる場合に、転写用フィルムからの転写を用いたが、この他にも、塗装や蒸着によりインキを担持させる方法を採用することもできる。
【００４９】
［５．２．他の色材担持体への適用］
上記実施形態では、見本カードに印刷された絵柄等の色から、転写用フィルムに印刷すべき色を予測する場合について説明したが、例えば、プラスチック製のカードから、同じ色調の紙製のカードに切り替えたいといった要求があった場合に、プラスチック製のカードの色から、紙製のカードに印刷すべき色を予測する場合についても適用することができる。
【００５０】
［５．３．複数装置での運用］
上記実施形態では、図３に示した多項式近似式作成処理（ステップＳ１１１）及び色データ算出処理（ステップＳ１１２）を、色データ算出装置１が行うこととしたが、それぞれの処理を別々の装置が行うこととしてもよい。
【符号の説明】
【００５１】
１  色データ算出装置
１１  制御部
１２  記憶部
１３  通信部
１４  表示部
１５  操作部
７０１  分光測色器
【図１】
2015095774.tif 000007
【図２】
2015095774.tif 000008
【図３】
2015095774.tif 000009
【図４】
2015095774.tif 000010
【図５】
2015095774.tif 000011
【図８】
2015095774.tif 000012
【図６】
2015095774.tif 000013
【図７】
2015095774.tif 000014